(57)【要約】【課題】  エッグボールやスピンボールを容易に打つことができ、またボールヒット時のラケットのローリングやピッチングを抑制することもでき、全体としてボールコントロール性を向上させるようにする。【解決手段】  ラケット１のフレーム２にガット面３Ａ・３Ｂが所定間隔をあけて二重に形成され、且つこれらガット面３Ａ・３Ｂの中央部分同士が互いに固着されて、両ガット面３Ａ・３Ｂがそれらの中心方向に向かって窪んだ凹弧面となされ、またフレーム２にはガットテンション調整機構、ローリング防止機構およびピッチング防止機構が組み込まれている。【選択図】  図２
2011182858.tif 000002
【特許請求の範囲】
【請求項１】
フレームにガット面が所定間隔をあけて二重に形成され、且つこれらガット面の中央部分同士が互いに固着されて、両ガット面がそれらの中心方向に向かって窪んだ凹弧面となされている、ラケット。
【請求項２】
ガットが三軸織で張設され、ガット面が三角形の網目状であって、ガット同士の交差角度がそれぞれ約６０°となされている、請求項１記載のラケット。
【請求項３】
ガットが六軸織で張設され、ガット面が六角形の網目状であって、隣り合うガット同士が前記六角形の網目における縦方向箇所では撚られ、斜め方向箇所では分離している、請求項１記載のラケット。
【請求項４】
ガットの交差部分に、各ガットをそれぞれ挿通させる複数の筒状部が一体成形されてなるガット結合具が配置されている、請求項１〜請求項３のうちのいずれか一項記載のラケット。
【請求項５】
ガット表面に空気抵抗低減用の凹凸加工が施された、請求項１〜請求項４のうちのいずれか一項記載のラケット。
【請求項６】
フレームに形成された凹所に嵌め入れられるシリンダー部材と、シリンダー部材内に収容され、シリンダー部材内を摺動自在な一対のガット挟持部材と、ガット挟持部材同士を接近方向に付勢する複数のバネと、シリンダー部材の開口部に嵌め入れられ、前記バネおよびガット挟持部材を押圧自在な調整ネジとを備え、シリンダー部材の周壁に対向状に形成された透孔から挿通されたガットが前記一対のガット挟持部材によって挟み止められ、調整ネジによる押圧によってガット挟持部材が摺動することで、ガットのテンションが調整されるようになされたガットテンション調整機構を有する、請求項１〜請求項５のうちのいずれか一項記載のラケット。
【請求項７】
フレームに形成された凹所に嵌め入れられるシリンダー部材と、シリンダー部材内から前記凹所の底部を貫通してフェイス内方に突出する軸部および該軸部における前記突出側端部に一体に形成され、ガットを掛止する掛止部を有する調節部材と、調節部材の軸部における前記突出側端部と反対側端部に螺合する調整ネジと、調整ネジの頭部が嵌め入れられる凹部を有し、シリンダー部材の開口部を閉止する蓋部材と、前記調整部材および調整ネジをフェイス内方へ付勢するバネとを備えており、調整ネジの回動に伴って調整部材がシリンダー部材内を移動することで、ガットのテンションが調整されるようになされたガットテンション調整機構を有する、請求項１〜請求項５のうちのいずれか一項記載のラケット。
【請求項８】
フレームの前面および／または後面に横断面山型のカウルが装着された、請求項１〜請求項７のうちのいずれか一項記載のラケット。
【請求項９】
サイドフレームとシャフト部分が分離され、シャフトの上部が二股部となされ、二股部の上端には水平部材が架設され、水平部材の中央にはヨーク下端に取り付けられた支軸が挿通されており、二股部の上端下方にはそれぞれシーソー部材が回動自在に取り付けられ、両シーソー部材のフレーム側端がそれぞれフレームに回動自在に軸支され、両シーソー部材の他端がショックアブソーバーを内蔵したダンパーエレメントの両端に軸支され、ガット面の一側寄り部分に加わったボールヒット時の衝撃が両シーソー部材並びにダンパーエレメントを介してガット面の他側にも伝達されて、左右で加重が相殺されるようになされたローリング防止機構を有する、請求項１〜請求項８のうちのいずれか一項記載のラケット。
【請求項１０】
サイドフレームとシャフト部分が分離され、シャフトの上部が二股部となされ、二股部の上端には水平部材が架設され、水平部材の中央にはヨーク下端に取り付けられた支軸が挿通されており、二股部の上端下方にはそれぞれシーソー部材が回動自在に取り付けられ、両シーソー部材のフレーム側端がそれぞれフレームに回動自在に軸支され、両シーソー部材の他端には互いに歯合するギアー部が形成され、ガット面の一側寄り部分に加わったボールヒット時の衝撃が両シーソー部材を介してガット面の他側にも伝達されて、左右で加重が相殺されるようになされたローリング防止機構を有する、請求項１〜請求項８のうちのいずれか一項記載のラケット。
【請求項１１】
サイドフレームとシャフト部分が分離され、シャフトの上部が二股部となされ、二股部の上端には水平部材が架設され、水平部材の中央にはヨーク下端に取り付けられた支軸が挿通されており、二股部の上端下方には押しワイヤーがたすき掛け状に挿通され、押しワイヤーの両端はサイドフレームに取り付けられ、押しワイヤーの交差部分には結束バンドが装着され、前記たすき掛け状の押しワイヤーにおける左右対称位置にはダンパーが介在されており、ガット面の一側寄り部分に加わったボールヒット時の衝撃が押しワイヤー並びにダンパーを介してガット面の他側にも伝達されて、左右で加重が相殺されるようになされたローリング防止機構を有する、請求項１〜請求項８のうちのいずれか一項記載のラケット。
【請求項１２】
サイドフレームとシャフト部分が分離され、シャフトの上部が二股部となされ、二股部の上端および下端寄りには水平部材がそれぞれ架設され、各水平部材にシーソー部材が回動自在に取り付けられ、両シーソー部材間にはショックアブソーバーを内蔵したダンパーエレメントが軸支され、両シーソー部材のうち、上側のシーソー部材の上端がヨークに軸支され、下側のシーソー部材の下端がシャフトにおける二股部下端間に軸支されており、ガット面に加わったボールヒット時の衝撃が両シーソー部材並びにダンパーエレメントを介してシャフト側にも伝達されて、両方で加重が相殺されるようになされたピッチング防止機構を有する、請求項１〜請求項８のうちのいずれか一項記載のラケット。
【請求項１３】
サイドフレームとシャフト部分が分離され、シャフトの上部が二股部となされ、二股部の上端および下端寄りには水平部材がそれぞれ架設され、各水平部材にシーソー部材がそれぞれ回動自在に取り付けられ、両シーソー部材の対向下端には互いに歯合するギアーが形成され、両シーソー部材のうち、上側のシーソー部材の上端がヨークに軸支され、下側のシーソー部材の下端がシャフトにおける二股部下端間に軸支されており、ガット面に加わったボールヒット時の衝撃が両シーソー部材を介してシャフト側にも伝達されて、両方で加重が相殺されるようになされたピッチング防止機構を有する、請求項１〜請求項８のうちのいずれか一項記載のラケット。
【請求項１４】
グリップ表面に指が嵌め入れられる凹弧溝が長さ方向に連続して周設され、グリップの長さ中央には中間グリップエンドが形成された、請求項１〜請求項１３のうちのいずれか一項記載のラケット。
【発明の詳細な説明】
【技術分野】
【０００１】
本発明は、テニス、バドミントン、スカッシュおよびラケットボール等のラケット競技おいて広く使用することができるラケットに関する。
【背景技術】
【０００２】
例えば、テニスラケットでは、これまで種々の目的で後述するような種々の改良が行われている。
【０００３】
すなわち、ガットについては、ラケットフレームのガット面を、ラケットフレームの断面方向から偏心させたり、傾斜状とすることでボールにスピンを与え易くしたり、ガット面を二重にして互いに異なるテンションとすることで、ボールに緩急をつけ易くしたり、フレームにガット調節機構を組み込んだり、ガット同士の交点を接着したり、ガット断面を四角形にすることでボールコントロールの安定性を向上させたりしたものが知られている。
【０００４】
また、ラケットのシャフト部分については、該部に縦断面蛇腹状のダンパーを設けてボールインパクトの際の衝撃吸収性等を向上させるようにしたものや、ガットとラケットを一体成形して形態保持性の向上を図ったものが知られている。
【０００５】
更に、グリップ部分については、グリップエンドにストッパーを一体成形してグリップの把持性を向上させたものも知られている。
【先行技術文献】
【特許文献】
【０００６】
【特許文献１】実開平４−７８６０号公報
【特許文献２】実開平２−１７１５３号公報
【特許文献３】特開２００５−３２８８８４号公報
【特許文献４】特開平７−２８９６６７号公報
【特許文献５】実開平１−１７６４６３号公報
【特許文献６】実開平１−１３３９６２号公報
【特許文献７】実開昭６３−１３３２５７号公報
【特許文献８】実開昭６２−６６６７６号公報
【特許文献９】特開２００３−１１７０２９号公報
【特許文献１０】特開２００６−２７１６６８号公報
【特許文献１１】特開２００４−３１３７７１号公報
【特許文献１２】特開２００７−１３０４２３号公報
【特許文献１３】特開２００６−２２３６０１号公報
【発明の概要】
【発明が解決しようとする課題】
【０００７】
テニスラケットは、曲げ（ローリング）剛性および捩り（ピッチング）剛性に優れ、しかも軽量でボールコントロール性にも優れ、更にボールヒット時の緩衝作用も求められる等、多岐にわたる特性が必要とされるものである。
【０００８】
また、近年、主流となっているエッグボールを駆使するプレーヤーが多い一方、従来主流であったトップスピンを駆使するプレーヤーもなお存在することから、テニスラケットには多様性が求められている。
【０００９】
しかしながら、前述した従来のテニスラケットでは、いずれもテニスラケットに求められる一部の特性しか備えておらず、テニスラケット全体としてすべての要求を満たすものはなかった。
【００１０】
本発明の目的は、曲げ（ローリング）剛性および捩り（ピッチング）剛性、ボールコントロール性、緩衝性といったすべての要求を満たすラケットを提供することにある。
【課題を解決するための手段】
【００１１】
請求項１記載の本発明は、フレームにガット面が所定間隔をあけて二重に形成され、且つこれらガット面の中央部分同士が互いに固着されて、両ガット面がそれらの中心方向に向かって窪んだ凹弧面となされているラケットである。
【００１２】
請求項２記載の本発明は、前記請求項１記載のラケットについて、ガットが三軸織で張設され、ガット面が三角形の網目状であって、ガット同士の交差角度がそれぞれ約６０°となされていることを特徴とするものである。
【００１３】
請求項３記載の本発明は、前記請求項１記載のラケットについて、ガットが六軸織で張設され、ガット面が六角形の網目状であって、隣り合うガット同士が前記六角形の網目における縦方向箇所では撚られ、斜め方向箇所では分離していることを特徴とするものである。
【００１４】
請求項４記載の本発明は、前記請求項１〜請求項３のうちのいずれか一項記載のラケットについて、ガットの交差部分に、各ガットをそれぞれ挿通させる複数の筒状部が一体成形されてなるガット結合具が配置されているものである。
【００１５】
請求項５記載の本発明は、前記請求項１〜請求項４のうちのいずれか一項記載のラケットについて、ガット表面に空気抵抗低減用の凹凸加工が施されていることを特徴とするものである。
【００１６】
請求項６記載の本発明は、前記請求項１〜請求項５のうちのいずれか一項記載のラケットについて、フレームに形成された凹所に嵌め入れられるシリンダー部材と、シリンダー部材内に収容され、シリンダー部材内を摺動自在な一対のガット挟持部材と、ガット挟持部材同士を接近方向に付勢する複数のバネと、シリンダー部材の開口部に嵌め入れられ、前記バネおよびガット挟持部材を押圧自在な調整ネジとを備え、シリンダー部材の周壁に対向状に形成された透孔から挿通されたガットが前記一対のガット挟持部材によって挟み止められ、調整ネジによる押圧によってガット挟持部材が摺動することで、ガットのテンションが調整されるようになされたガットテンション調整機構を有することを特徴とするものである。
【００１７】
請求項７記載の本発明は、前記請求項１〜請求項５のうちのいずれか一項記載のラケットについて、フレームに形成された凹所に嵌め入れられるシリンダー部材と、シリンダー部材内から前記凹所の底部を貫通してフェイス内方に突出する軸部および該軸部における前記突出側端部に一体に形成され、ガットを掛止する掛止部を有する調節部材と、調節部材の軸部における前記突出側端部と反対側端部に螺合する調整ネジと、調整ネジの頭部が嵌め入れられる凹部を有し、シリンダー部材の開口部を閉止する蓋部材と、前記調整部材および調整ネジをフェイス内方へ付勢するバネとを備えており、調整ネジの回動に伴って調整部材がシリンダー部材内を移動することで、ガットのテンションが調整されるようになされたガットテンション調整機構を有することを特徴とするものである。
【００１８】
請求項８記載の本発明は、前記請求項１〜請求項７のうちのいずれか一項記載のラケットについて、フレームの前面および／または後面に横断面山型のカウルが装着されたものである。
【００１９】
請求項９記載の本発明は、前記請求項１〜請求項８のうちのいずれか一項記載のラケットについて、サイドフレームとシャフト部分が分離され、シャフトの上部が二股部となされ、二股部の上端には水平部材が架設され、水平部材の中央にはヨーク下端に取り付けられた支軸が挿通されており、二股部の上端下方にはそれぞれシーソー部材が回動自在に取り付けられ、両シーソー部材のフレーム側端がそれぞれフレームに回動自在に軸支され、両シーソー部材の他端がショックアブソーバーを内蔵したダンパーエレメントの両端に軸支され、ガット面の一側寄り部分に加わったボールヒット時の衝撃が両シーソー部材並びにダンパーエレメントを介してガット面の他側にも伝達されて、左右で加重が相殺されるようになされたローリング防止機構を有することを特徴とするものである。
【００２０】
請求項１０記載の本発明は、前記請求項１〜請求項８のうちのいずれか一項記載のラケットについて、サイドフレームとシャフト部分が分離され、シャフトの上部が二股部となされ、二股部の上端には水平部材が架設され、水平部材の中央にはヨーク下端に取り付けられた支軸が挿通されており、二股部の上端下方にはそれぞれシーソー部材が回動自在に取り付けられ、両シーソー部材のフレーム側端がそれぞれフレームに回動自在に軸支され、両シーソー部材の他端には互いに歯合するギアー部が形成され、ガット面の一側寄り部分に加わったボールヒット時の衝撃が両シーソー部材を介してガット面の他側にも伝達されて、左右で加重が相殺されるようになされたローリング防止機構を有することを特徴とするものである。
【００２１】
請求項１１記載の本発明は、前記請求項１〜請求項８のうちのいずれか一項記載のラケットについて、サイドフレームとシャフト部分が分離され、シャフトの上部が二股部となされ、二股部の上端には水平部材が架設され、水平部材の中央にはヨーク下端に取り付けられた支軸が挿通されており、二股部の上端下方には押しワイヤーがたすき掛け状に挿通され、押しワイヤーの両端はサイドフレームに取り付けられ、押しワイヤーの交差部分には結束バンドが装着され、前記たすき掛け状の押しワイヤーにおける左右対称位置にはダンパーが介在されており、ガット面の一側寄り部分に加わったボールヒット時の衝撃が押しワイヤー並びにダンパーを介してガット面の他側にも伝達されて、左右で加重が相殺されるようになされたローリング防止機構を有することを特徴とするものである。
【００２２】
請求項１２記載の本発明は、前記請求項１〜請求項８のうちのいずれか一項記載のラケットについて、サイドフレームとシャフト部分が分離され、シャフトの上部が二股部となされ、二股部の上端および下端寄りには水平部材がそれぞれ架設され、各水平部材にシーソー部材が回動自在に取り付けられ、両シーソー部材間にはショックアブソーバーを内蔵したダンパーエレメントが軸支され、両シーソー部材のうち、上側のシーソー部材の上端がヨークに軸支され、下側のシーソー部材の下端がシャフトにおける二股部下端間に軸支されており、ガット面に加わったボールヒット時の衝撃が両シーソー部材並びにダンパーエレメントを介してシャフト側にも伝達されて、両方で加重が相殺されるようになされたピッチング防止機構を有することを特徴とするものである。
【００２３】
請求項１３記載の本発明は、請求項１〜請求項８のうちのいずれか一項記載のラケットについて、サイドフレームとシャフト部分が分離され、シャフトの上部が二股部となされ、二股部の上端および下端寄りには水平部材がそれぞれ架設され、各水平部材にシーソー部材がそれぞれ回動自在に取り付けられ、両シーソー部材の対向下端には互いに歯合するギアーが形成され、両シーソー部材のうち、上側のシーソー部材の上端がヨークに軸支され、下側のシーソー部材の下端がシャフトにおける二股部下端間に軸支されており、ガット面に加わったボールヒット時の衝撃が両シーソー部材を介してシャフト側にも伝達されて、両方で加重が相殺されるようになされたピッチング防止機構を有することを特徴とするものである。
【００２４】
請求項１４記載の本発明は、前記請求項１〜請求項１３のうちのいずれか一項記載のラケットについて、グリップ表面に指が嵌め入れられる凹弧溝が長さ方向に連続して周設され、グリップの長さ中央には中間グリップエンドが形成されたものである。
【発明の効果】
【００２５】
本発明のラケットは、テニス、バトミントン、ラケットボールおよびスカッシュ等のラケット競技に幅広く使用することができ、しかも従来のラケットと異なり、後述するように使用者のプレースタイルや好み、特性等に応じてオーダーメードのものとすることができる。
【００２６】
請求項１記載のラケットは、ガット面が二重の凹弧面となされているため、ガット面が従来の平坦なものに比べて、ボールをより深くしっかりと捉えることができ、そのため例えば、テニスでは、ボールを押し出すようにスィングする必要があるエッグボールを容易に打つことができる。また、トップスピンを駆使するスピン系ボールのプレーヤーでも、ガット面が凹弧面となっていることで、その曲面を利用してボールを簡単に擦り上げることができるため、今までより回転数の高いスピンボールを容易に打つことが可能となる。更に、ガット面が凹弧面となっていることで、低いボールはガット面における中央部分から下側の斜め上向き曲面にヒットして前方斜め上向きに自然にコントロールされる一方、高いボールはガット面における中央部分から上側の斜め下向き曲面にヒットして前方斜め下向きに自然にコントロールされることとなるため、テニスではボールがネットに引っかかったり、ベースラインをオーバーすることが少なくなる。
【００２７】
また、ガット面を三軸織とした請求項２に係るラケット並びにガット面を六軸織とした請求項３に係るラケットによれば、ガット同士がより強固に交差した状態となるため、ガット面にボールがヒットした際のガットのずれが有効に防止され、その結果、テニス等のプレイ中に、ずれたガットをプレイヤーがその都度、修正する必要もなくなる。
【００２８】
更に、ガットの交差部分に結合具が配置された請求項４記載のラケットによれば、前記請求項２および請求項３と同様の効果が得られる上、ボールがガット面における前記結合具に当接することで、該ボールとガット面との摩擦抵抗が増加するため、ボールに種々の回転をかけ易くなり、その結果、より積極的なプレイが行い易くなる。
【００２９】
また、ガット表面にディンプルやリブレット等の空気抵抗低減用の凹凸加工を施した請求項５記載のラケットによれば、ラケットをより早く振り抜くことができ、又ボールのリターンをより素早くを行うこともできる。またこの点はフレームの前面および／または後面に横断面略山型のカウルが装着された請求項８記載のラケットについても同様である。
【００３０】
この他、ガットテンション調整機構を更に有する請求項６および請求項７記載のラケットによれば、プレイヤーの好みや試合状況によって、ガットのテンションを適宜調整することができ、またプロテニスプレイヤーでは、ガットテンションの異なる多数のラケットを試合会場に持ち込む手間も省略され得る。
【００３１】
更に、ローリング防止機構を備えた請求項９〜請求項１１に係るラケットによれば、ガット面の中心から外れた位置にボールがヒットしても、当該ラケットのローリングが有効に抑えられるため、安定したガット面の角度を維持しつつ、ボールのリターンを行うことができる。
【００３２】
また、ピッチング防止機構を備えた請求項１２および請求項１３に係るラケットによれば、ガット面にボールが強くヒットした場合には、ピッチングが有効に防止されるため、相手プレイヤーがハードヒッターであっても、そのボールの勢いに押されることなく、容易にリターンし易いという利点がある。
【００３３】
この他、請求項１４に係るラケットによれば、通常のグリップエンドの他、中間のグリップエンドが形成されているため、シングルハンドでボールを打つ場合でも、中間グリップエンドを利用してより強いボールを打つことができ、また両手打ちの場合でも一方の手をグリップエンドに掛け、他方の手を中間のグリップエンドに掛けてボールを打つことができるため、この場合も強いボールを容易に打つことができる。また、このような効果はグリップの長さ方向に連続して形成された指嵌め用の凹弧溝によって、更に増強される。
【図面の簡単な説明】
【００３４】
【図１】実施形態に係るテニスラケットの正面図である。
【図２】同実施形態に係るラケットのフェイス部分を断面した側面図である。
【図３】同実施形態に係るラケットのフェイス部分を断面した平面図である。
【図４】同実施形態に係るラケットのガット面の部分拡大図である。
【図５】他の実施形態に係るラケットのフェイス部分の正面図である。
【図６】同実施形態に係るラケットのガット面の部分拡大図である。
【図７】更に他の実施形態に係るラケットのフェイス部分の正面図である。
【図８】同実施形態に係るラケットのガット面の部分拡大図である。
【図９】三軸織のガット面を有するラケットの部分斜視図である。
【図１０】同実施形態に係るラケットにおける交差するガット同士の結合状態を示す拡大斜視図である。
【図１１】二軸織のガット面を有するラケットの部分斜視図である。
【図１２】同実施形態に係るラケットにおける交差するガット同士の結合状態を示す拡大斜視図である。
【図１３】同実施形態に係るラケットにおける平行なガット同士の結合状態を示す拡大斜視図である。
【図１４】ディンプル付きガットの拡大斜視図である。
【図１５】リブレット付きガットの拡大斜視図である。
【図１６】ラケットにおけるガットテンションの調整機構の一例を示す正面断面図である。
【図１７】同実施形態に係るガットテンションの調整機構の平面断面図である。
【図１８】ディンプル付きカウルの拡大図である。
【図１９】微小凹凸面付きのカウルの拡大図である。
【図２０】リブレット付きカウルの拡大図である。
【図２１】ラケットにおけるガットテンションの調整機構の他の実施形態を示す正面断面図である。
【図２２】同実施形態に係るガットテンションの調整機構の平面断面図である。
【図２３】ラケットにおけるローリング防止機構の一例を示す正面図である。
【図２４】同実施形態におけるシーソー部材同士の連結関係を示す平面図である。
【図２５】同実施形態におけるダンパー部分の拡大断面図である。
【図２６】シーソー部材同士の他の連結関係を示す平面図である。
【図２７】ラケットにおけるローリング防止機構の他の実施形態を示す正面図である。
【図２８】同実施形態における押しワイヤーの保持形態を示す平面断面図である。
【図２９】ラケットにおけるピッチング防止機構の一例を示す正面図である。
【図３０】同実施形態におけるシーソー部材同士の連結関係を示す側面図である。
【図３１】グリップ部分の拡大斜視図である。
【発明を実施するための形態】
【００３５】
次に本発明をテニスラケットに適用した場合の実施形態について、図面に従って説明するが、本発明は係る実施形態に限定されるものでない。
【００３６】
図１〜図４に示すように、ラケット１は、そのフレーム２にガット面３Ａ・３Ｂが所定間隔をあけて二重に張設され、且つこれらガット面３Ａ・３Ｂはそれらの中央部分Ｃ１同士が固着されて、互いにフレーム２の中心に向かって窪んだ凹弧面１０となされている。
【００３７】
より詳細には、フレーム２にその厚さ方向に二列で且つ周方向に間隔をあけてガット孔が形成され、各列のガット孔にそれぞれガット３が張設されると共に、フレーム２の中央部分Ｃ１のガット３Ａ・３Ｂ同士が互いに固着されることで、凹弧状のガット面３Ａ・３Ｂが形成されている。ガット面３Ａ・３Ｂ同士の固着は、別途用意した細紐でガット３同士を結合しても良いし、或いは接着剤や熱圧着等によって接合するようにしても良い。
【００３８】
また、ラケット１のスロート１ａ部分は一般的なラケットと同様の形状にする場合の他、後述するようなラケットのローリング（回動）防止機構を組み込む場合もある。
【００３９】
図１、図２および図３１に示すように、本実施形態におけるラケット１のグリップ５は、その長さ方向に間隔をあけて指が嵌まり込む形状となされた凹弧溝６が周設され、且つグリップ５の長さ中央部分にはグリップ５の下端におけるグリップエンド７とは別に中間グリップエンド８が形成されている。
【００４０】
図４に示すように、ガット面３Ａ・３Ｂを構成するガット３は、三本が交差する所謂、三軸織となされており、より詳細には三本のガット３のうち、その一本３ａが当該ラケット１の軸方向に伸び、他の二本３ｂ・３ｃが左右斜め方向から交差する形態となされている。また、ガット面３Ａ・３Ｂにおける三軸織の形態は、任意に変更するものであり、前記図４に示すような三軸織に限らず、他の三軸織として、図５および図６に示すように、三本のガット３のうち、その一本３ｄが当該ラケット１の軸方向と直角に伸び、他の二本３ｅ・３ｆが左右斜め方向から交差するような形態とすることもある。これら三軸織の場合、ガット３間には三角形の空間ができ、交差部の角度は６０度となる。
【００４１】
図７および図８に示すラケット２１は、前記実施形態のラケット１と同様、フレーム２２にガット２３が二重に張設され、且つそれらの中央部分同士が互いに固着されて、両ガット面がその中心に向かって窪んだ凹弧面となされているものである。
【００４２】
そして、本実施形態のラケット２１では、ガット２３が六角織となされており、隣り合うガット２３同士は、六角織における斜め部分２３ａにおいて離れ、当該ラケット２１の軸方向部分２３ｂにおいてガット２３同士が撚れた形態となされている。
【００４３】
次に、交差するガット同士を結合させる手段について説明すると、図９および図１０に示すように、例えば、前述した図４に示す三軸織のラケット１では、交差するガット３ａ・３ｂ・３ｃ同士をガット結合具９によって一体に結合させるようにしても良い。すなわち、結合具９は、三本のガット３ａ・３ｂ・３ｃの交差角度に合致する三本の筒状部９ａ・９ｂ・９ｃが一体に接合されたものであり、各筒状部９ａ・９ｂ・９ｃにはそれらの全長にわたって軸方向に伸びる切込み１０が形成されており、ガット３ａ・３ｂ・３ｃを嵌め入れる際に、切込み１０から筒状部９ａ・９ｂ・９ｃを開離させるようになされている。
【００４４】
図１１〜図１３に示すように、ラケット３１は、フレーム３２にガット３３が所謂、二軸織で張設されているものであり、通常の一般的なラケットは、ガットがラケットの軸方向およびその直角方向に張設されているが、本実施形態では、ガット３３ａ・３３ｂ同士が互いに斜めに交差する形態となされている。そして、本実施形態のラケット３１においても、ガット３３ａ・３３ｂの交差部に、これらを挿通させた二本の筒状部３９ａ・３９ｂを有する結合具３９が介在されており、各筒状部３９ａ・３９ｂには開離用の切込み３６が形成されている。また、ガット３３ａ・３３ｂ同士が交差しない箇所における隣り合うガット３３ａ同士および３３ｂ同士については、これらを嵌め入れる互いに平行な筒状部３８ａ・３８ｂが板状部３８ｃを介して一体に構成されてなるスペーサー具３８によって、一定間隔が維持されるようになされている。
【００４５】
なお図中３７は、前記スペーサー具３８の各筒状部３８ａ・３８ｂに形成された開離用の切込みを示す。
【００４６】
この他、図１４に示すように、ラケットを振った際における空気抵抗軽減の目的で、ガット３等の表面に多数のディンプルＤ１を形成したり、或いは図１５に示すように、ガット３等の表面に横断面方向に略Ｖ字状溝Ｇ１を連続的に周設した所謂、リブレット２０を形成する場合もある。
【００４７】
次に、図１６および図１７に示すように、例えばラケット１におけるガット３のテンション調節機構について説明すると、該調節機構は、フレーム２に凹所４１が形成され、凹所４１にはフランジ４２ａを有するシリンダー部材４２が嵌め込まれてビス３５によって固定され、シリンダー部材４２内には、ガット３を挟持する一対の挟持部材４３Ａ・４３Ｂと、一方の挟持部材４３Ａと凹所４１の底部４１ａとの間に介在されるコイルスプリング４４と、他方の挟持部材４３Ｂとこれに対向する受けベース部材４５との間に介装された板状スプリング４６と、シリンダー部材４２の開口部に装着された調整ネジ４７とを有している。また、シリンダー部材４２の周壁およびフレーム２に対向状に透孔４０が形成され、ガット３は両透孔４０からシリンダー部材４２内に挿通されている。
【００４８】
そして、一対の挟持部材４３Ａ・４３Ｂのうち、一方の挟持部材４３Ａはガット３に当接する二つの小ローラー４８を有し、他方の挟持部材４３Ｂは、前記二つの小ローラー４８の中間部分において対向する小ローラー４９を備えている。
【００４９】
本実施形態のテンション調節機構によれば、コイルスプリング４４によって押圧された一方の挟持部材４３Ａと板状スプリング４６によって押圧された他方の挟持部材４３Ｂとによって、ガット３が挟持され、そして、調整ネジ４７を回すことでガット３がフェース内方またはその反対方向へ引っ張られ、その結果、ガット３のテンションが調節される。
【００５０】
また、図１７において、５１は、当該ラケット１を振った際の空気抵抗を軽減させる目的でフレーム２の前面および後面に装着された横断面山型のカウルを示す。そして、該カウル５１は、図１８に示すように、ラケット１を振った際の空気の流れを更に整える目的で、表面に多数のディンプル５２を形成したり、或いは図１９に示すように、カウル５１の表面に微細な凹凸５３を形成したり、或いは更に図２０に示すように、所謂リブレット５４を形成する場合もある。
【００５１】
図２１および図２２は、ガット３のテンション調節機構に係る他の実施形態であって、本実施形態に係るテンション調節機構は、フレーム２に凹所６１が形成され、凹所６１にはフランジ６２ａを有するシリンダー部材６２が嵌め込まれてビス５５によって固定され、シリンダー部材６２内には軸部６３と該軸部６３の一端に形成された円筒部６４とからなる調節部材６５が配置され、軸部６３は凹所６１の底部に形成された透孔６６に挿通されており、円筒部６４にはガット３が挿通・掛止されている。また軸部６３の他端には調整ネジ６７が螺合され、軸部６３の長さ中央部に形成された段部６５ａには、円板状の座板６８が装着されている。
【００５２】
なお、前記円筒部６４は、これに限定されず、ガットを掛止する機能を有する掛止手段であれば良い。
【００５３】
そして、シリンダー部材６２の開口部には中央に前記調整ネジ６７の頭部６７ａが係合する凹部６９ａを有する円板状の蓋部材６９が螺着されており、蓋部材６９と前記座板６８との間にはコイルスプリング６０が介装されている。
【００５４】
本実施形態に係るガット３のテンション調節機構によれば、調整ネジ６７を回して、これと螺合する調節部材６５をガット３と反対方向（フェース外方）へ移動させた場合には、ガット３のテンションが強められ、前記と逆の場合には、ガット３のテンションが弱められる。また、これらガットテンションの調節において、前記コイルスプリング６０によって、調節部材６５が常にガット方向へ付勢される結果、調整ネジ６７の頭部６７ａは常に蓋部材６９の凹部６９ａに当接される。また、前記コイルスプリング６０は、その弾性によってガット面にボールがヒットした際、ボールがガット面により深く食い込み、ボールをより確実に捉えることとなる。
【００５５】
図２３〜図２５は、ラケットにおけるローリング（ラケットの軸方向と直角方向へのラケットの回動）防止の機構を示す。
【００５６】
本実施形態のローリング防止機構について説明すると、ラケット７１のシャフト７２の上端に二股部７３が形成され、二股部７３の上端部には、これらを跨ぐように水平部材７４がビス７５によって架設・固定され、水平部材７４の中心にはヨーク７６の下端に取り付けられた支軸７７が挿通されている。
【００５７】
そして、サイドフレーム７８間には左右一対のシーソー部材７９Ａ・７９Ｂとダンパーエレメント８１が配置されている。より詳細には、サイドフレーム７８にそれぞれシーソー部材７９Ａ・７９Ｂが軸支８０され、隣り合うシーソー部材７９Ａ・７９Ｂ間にダンパーエレメント８１がピン８２で連結されている。また、両シーソー部材７９Ａ・７９Ｂは前記二股部７３を支点として回動自在に軸支されている。また、７１ａは当該ローリング防止機構を覆うカバー部材を示す。
【００５８】
ダンパーエレメント８１は、図２５に示すように、断面横Ｖ字形の左右一対のカバー８３と、左右のピン８２間に介在されたショックアブソーバー８８とで構成されており、ショックアブソーバー８８は、通常のものと同様、シリンダー８４とピストン８５とコイルスプリング８６とを有している。
【００５９】
本実施形態のローリング防止機構によれば、例えば、図２４に示すように、ガット面８７の右側寄りにボールがヒットした場合、ガット面８７の右側に荷重が加わって（矢印Ａ方向）、サイドフレーム７８の右側を図面下側方向へ押し下げる力が作用するが、この際、一方のシーソー部材７９Ａの右側が図面下側方向へ下がると共に、同シーソー部材７９Ａの左側が図面上側へ上がり（矢印Ｂ方向）、これに伴って、ダンパーエレメント８１を介して他方のシーソー部材７９Ｂの右側も図面上側方向（矢印Ｂ方向）へ上がり、更にこれに伴って、同シーソー部材７９Ｂの左側が図面下側方向（矢印Ａ方向）へ下がることとなる。その結果、最初にガット面８７の右側寄り部分に加わった矢印Ａ方向の力とほぼ同様の力がガット面８７の左側にも同様に作用することとなり、ガット面８７の両側方向で力が相殺され得る。そのため、当該ラケットのローリングが有効に防止される。
【００６０】
図２６は前記ローリング防止機構の変形例であって、両シーソー部材７９Ａ・７９Ｂの端部に互いに歯合するギアー部８９を形成し、該ギアー部８９を介して隣り合うシーソー部材７９Ａ・７９Ｂ同士が連動するようになされている。この場合も、前記と同様にシーソー部材７９Ａ・７９Ｂが連動してガット面８７のローリングが防止される。
【００６１】
図２７および図２８は、ラケットの他のローリング防止機構を示す。本実施形態のローリング防止機構では、ラケット９１のサイドフレーム９０間にその中間の結束バンド９２を介して押しワイヤー９３がたすき掛け状に配置され、その両端部分がサイドフレーム９０に設けられた止め具９４に固定され、また押しワイヤー９３には左右対称に衝撃吸収ダンパー９５Ａ・９５Ｂが組み込まれている。この他、ラケット９１のシャフト９６の上端には前記実施形態と同様、二股部９７が形成されていると共に、二股部９７の上端部には、これらを跨ぐように水平部材９８が架設され、水平部材９８の中心には支軸９９が連結されている。そして、前記押しワイヤー９３は、二股部９７に形成された透孔９７ａに挿通されている。
【００６２】
本実施形態のローリング防止機構によれば、例えば、ガット面１０１の右側寄りにボールがヒットした場合、ガット面１０１の右側に荷重が加わって（矢印Ａ方向）、フレーム７８の右側を図面下側方向へ押し下げる力が作用するが、この際、押しワイヤー９３が矢印Ｂ方向に移動し、その動きがダンパー９５Ｂ（ショックアブソーバー内蔵）を介して押しワイヤー９３における矢印Ｃ方向の移動となり、これに伴ってガット面１０１の左側も図面下側方向（矢印Ａ方向）へ下がる。その結果、ガット面１０１全体としては、左右で均等な力が働き、当初、ガット面１０１の右側に加わった力が左右で相殺されることとなる。
【００６３】
なお、前記ダンパー９５Ａ・Ｂによって、ガット面１０１にボールがヒットした際の振動・衝撃が吸収される。
【００６４】
図２９および図３０は、ラケット１１１のシャフト１１２のピッチング（ラケットの軸方向への傾き）防止の機構を示す。本実施形態のピッチング防止機構は、前述した図２３および図２４に示したローリング防止機構を応用したものである。
【００６５】
本実施形態では、一方のシーソー部材７９Ａの上端がラケット１１１のヨーク１１３に軸支８０され、他方のシーソー部材７９Ｂの下端がラケット１１１のシャフト１１２の上端に軸支８０され、両シーソー部材７９Ａ・７９Ｂ間にダンパーエレメント８１が介在されている。また、両シーソー部材７９Ａ・７９Ｂは、シャフト１１２の上端に形成された二股部１１５の上端部間および下端寄り部間にそれぞれ架設された水平部材１１６を支軸として回動するようになされている。両シーソー部材７９Ａ・７９Ｂおよびダンパーエレメント８１の構造は前記実施形態と同様であり、そのため、同じ符号を付すことによって説明を省略する。
【００６６】
本実施形態のピッチング防止機構によれば、ガット面１１６にボールがヒットした場合、一方のシーソー部材７９Ａの上端に矢印Ａ方向の荷重が加わるが、これに伴って一方のシーソー部材７９Ａの下端が矢印Ｂ方向に振れ、更にこれと連動して他方のシーソー部材７９Ｂの上端も矢印Ｂ方向へ振れ、これに伴って他方のシーソー部材の下端が矢印Ａ方向に振れることとなる。そのため、ラケット全体としては、フレームとシャフトが同じ矢印Ａ方向に動くこことなり、その結果、当該ラケットのピッチングが防止される。
【００６７】
なお、図中１１７は、必要に応じて装着されるカバーを示す。また、本実施形態では、両シーソー部材７９Ａ・７９Ｂ間にダンパーエレメント８１を介して両シーソー部材７９Ａ・７９Ｂが連動する構造としたが、図２６に示したシーソー部材７９Ａ・７９Ｂと同様に、互いに歯合するギアー８９を形成するようにしても良い。
【産業上の利用可能性】
【００６８】
本発明のラケットは、ボールコントロール性に優れ、またガットテンションの調整、スイング時の空気抵抗の低減、ローリングおよびピッチングの防止といった種々の機能を有するため、幅広い利用が期待できる。
【符号の説明】
【００６９】
１  テニスラケット
２  フレーム
３  ガット
３Ａ・３Ｂ  ガット面
５  グリップ
７  グリップエンド
８  中間グリップエンド
９  ガット結合具
９ａ・９ｂ・９ｃ  筒状部
Ｄ１  ディンプル
２０  リブレット
４１  凹所
４２  シリンダー部材
４３Ａ・４３Ｂ  挟持部材
４４  コイルスプリング
４７  調整ネジ
５１  カウル
７３  シャフトの二股部
７４  水平部材
７９Ａ・７９Ｂ  シーソー部材
８１  ダンパーエレメント
８３  ショックアブソーバー
９３  押しワイヤー
【図１】
2011182858.tif 000003
【図２】
2011182858.tif 000004
【図３】
2011182858.tif 000005
【図４】
2011182858.tif 000006
【図５】
2011182858.tif 000007
【図６】
2011182858.tif 000008
【図７】
2011182858.tif 000009
【図８】
2011182858.tif 000010
【図９】
2011182858.tif 000011
【図１０】
2011182858.tif 000012
【図１１】
2011182858.tif 000013
【図１２】
2011182858.tif 000014
【図１３】
2011182858.tif 000015
【図１４】
2011182858.tif 000016
【図１５】
2011182858.tif 000017
【図１６】
2011182858.tif 000018
【図１７】
2011182858.tif 000019
【図１８】
2011182858.tif 000020
【図１９】
2011182858.tif 000021
【図２０】
2011182858.tif 000022
【図２１】
2011182858.tif 000023
【図２２】
2011182858.tif 000024
【図２３】
2011182858.tif 000025
【図２４】
2011182858.tif 000026
【図２５】
2011182858.tif 000027
【図２６】
2011182858.tif 000028
【図２７】
2011182858.tif 000029
【図２８】
2011182858.tif 000030
【図２９】
2011182858.tif 000031
【図３０】
2011182858.tif 000032
【図３１】
2011182858.tif 000033